【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
画像読取装置と情報処理装置とを含む画像読取システムであって、
前記画像読取装置は、
原稿の読み取りに用いられる設定情報を含むスキャンジョブを前記情報処理装置から受信する第１の受信手段と、
前記第１の受信手段により受信された前記スキャンジョブに含まれる前記設定情報を用いた原稿の読み取りを開始するユーザ指示を受け付ける受付手段と、
前記受付手段により受け付けられた前記ユーザ指示に従って、原稿を読み取るスキャンジョブを実行する読取手段と、
前記第１の受信手段により受信された前記スキャンジョブの実行状況を前記情報処理装置に送信する第１の送信手段と、を有し、
前記第１の受信手段は更に、前記読取手段により原稿を読み取ることにより生成された画像データの要求を前記情報処理装置から受信し、
前記第１の送信手段は更に、前記第１の受信手段により受信される前記要求に従って、前記画像データを前記情報処理装置に送信し、
前記情報処理装置は、
前記読取手段による原稿の読み取りに用いられる前記設定情報を含む前記スキャンジョブを前記画像読取装置に送信する第２の送信手段と、
前記第１の送信手段により送信された前記スキャンジョブの実行状況を受信する第２の受信手段と、を有し、
前記第２の送信手段は更に、前記第２の受信手段により受信された前記スキャンジョブの実行状況に従って、前記画像読取装置に前記画像データの送信要求を送信し、
前記第２の受信手段は更に、前記第１の送信手段から送信された画像データを受信することを特徴とする画像読取システム。
【請求項２】
前記画像読取装置は、前記第１の受信手段により受信した前記設定情報を含むスキャンジョブを記憶する記憶手段をさらに有し、
前記第１の送信手段は、前記スキャンジョブを前記記憶手段に記憶したことを前記情報処理装置に送信することを特徴とする請求項１に記載の画像読取システム。
【請求項３】
前記第１の送信手段は、前記読取手段による原稿の読み取りが完了したことに従って、前記情報処理装置に原稿の読み取りが完了したことを送信することを特徴とする請求項１又は２に記載の画像読取システム。
【請求項４】
前記情報処理装置は、画面を表示する第１の表示手段をさらに有し、
前記第１の表示手段は、前記画像読取装置の前記第１の受信手段により受信された前記スキャンジョブを前記記憶手段に記憶したことを前記第２の受信手段が受信したことに従って、前記原稿の読み取りの開始を待つ画面を表示することを特徴とする請求項２に記載の画像読取システム。
【請求項５】
前記第１の受信手段により受信される前記スキャンジョブに含まれる前記設定情報は、前記読取手段による読み取り解像度、読み取りカラーモードを含むことを特徴とする請求項１乃至４のいずれか１項に記載の画像読取システム。
【請求項６】
前記第１の送信手段は、前記読取手段による原稿の読み取りを開始したことに従って、前記原稿の読み取り中であることを前記情報処理装置に通知することを特徴とする請求項１乃至５のいずれか１項に記載の画像読取システム。
【請求項７】
前記画像読取装置は、前記第１の受信手段が受信した前記スキャンジョブに含まれる設定情報を表示する第２の表示手段をさらに有し、
前記第２の表示手段に表示された前記設定情報を用いて前記読取手段による原稿の読み取りを行うことを特徴とする請求項１乃至６のいずれか１項に記載の画像読取システム。
【請求項８】
前記第２の表示手段は、前記第１の受信手段が受信した前記スキャンジョブを一覧で表示し、
前記読取手段は、前記第２の表示手段に表示されたスキャンジョブからユーザにより選択されたスキャンジョブに含まれる設定情報を用いて原稿の読み取りを行うことを特徴とする請求項７に記載の画像読取システム。
【請求項９】
前記第２の表示手段は、前記読取手段による原稿の読み取りが完了した後に、前記読取手段による原稿の読み取りを継続するか否かの選択を受け付ける画面を更に表示することを特徴とする請求項８に記載の画像読取システム。
【請求項１０】
原稿の読み取りに用いられる設定情報を含むスキャンジョブを情報処理装置から受信する受信手段と、
前記受信手段により受信された前記スキャンジョブに含まれる前記設定情報を用いて原稿の読み取りを開始するユーザ指示を受け付ける受付手段と、
前記受付手段により前記ユーザ指示を受け付けて、原稿を読み取る読取手段と、
前記スキャンジョブの実行状況を前記情報処理装置に送信する送信手段と、を有し、
前記受信手段は更に、前記送信手段により送信された前記スキャンジョブの実行状況を受け取った前記情報処理装置からの画像データの取得要求を受信し、
前記送信手段は更に、前記取得要求に従って、前記読取手段により原稿を読み取ることで得られた前記画像データを前記情報処理装置に送信することを特徴とする画像読取装置。
【請求項１１】
前記送信手段は、前記読取手段による原稿の読み取り中であることを前記情報処理装置に送信することを特徴とする請求項１０に記載の画像読取装置。
【請求項１２】
前記送信手段は、前記受付手段により前記ユーザ指示が受け付けられたことに従って、前記読取手段による原稿の読み取り中であることを前記情報処理装置に送信することを特徴とする請求項１１に記載の画像読取装置。
【請求項１３】
前記スキャンジョブに含まれる設定情報は、前記読取手段による読み取り解像度、読み取りカラーモードを含むことを特徴とする請求項１２に記載の画像読取装置。
【請求項１４】
画像読取装置と情報処理装置を含む画像読取システムの制御方法であって、
前記画像読取装置は、
原稿の読み取りに用いられる設定情報を含むスキャンジョブを前記情報処理装置から取得し、
前記情報処理装置から取得された前記スキャンジョブに含まれる前記設定情報を用いた原稿の読み取りを開始するユーザ指示を受け付け、
前記ユーザ指示に従って、原稿を読み取ることにより画像データを生成し、
前記スキャンジョブの実行状況を前記情報処理装置に送信し、
前記画像データの要求を前記情報処理装置から受信し、
前記情報処理装置から受信される前記要求に従って、前記画像データを前記情報処理装置に送信することを特徴とし、
前記情報処理装置は、
前記原稿の読み取りに用いられる前記設定情報を含む前記スキャンジョブを前記画像読取装置に送信し、
前記画像読取装置から前記スキャンジョブの実行状況を受信し、
受信した前記スキャンジョブの実行状況に従って、前記画像読取装置に画像データの送信要求を送信し、
前記画像読取装置から送信された画像データを受信することを特徴とする制御方法。
【手続補正２】
【補正対象書類名】明細書
【補正対象項目名】発明の名称
【補正方法】変更
【補正の内容】
【発明の名称】画像読取システム、画像読取装置、及び画像読取システムの制御方法
【手続補正３】
【補正対象書類名】明細書
【補正対象項目名】０００１
【補正方法】変更
【補正の内容】
【０００１】
本発明は、画像読取システム、画像読取装置、及び画像読取システムの制御方法に関する。
【手続補正４】
【補正対象書類名】明細書
【補正対象項目名】０００６
【補正方法】変更
【補正の内容】
【０００６】
本発明の目的は、ユーザが原稿の場所から離れることなく、画像読取装置で原稿を読み取って情報処理装置で取り込むことができる技術を提供することにある。
【手続補正５】
【補正対象書類名】明細書
【補正対象項目名】０００７
【補正方法】変更
【補正の内容】
【０００７】
上記課題を解決するために本発明の一態様に係る画像読取システムは以下のような構成を備える。即ち、
画像読取装置と情報処理装置とを含む画像読取システムであって、
前記画像読取装置は、
原稿の読み取りに用いられる設定情報を含むスキャンジョブを前記情報処理装置から受信する第１の受信手段と、
前記第１の受信手段により受信された前記スキャンジョブに含まれる前記設定情報を用いた原稿の読み取りを開始するユーザ指示を受け付ける受付手段と、
前記受付手段により受け付けられた前記ユーザ指示に従って、原稿を読み取るスキャンジョブを実行する読取手段と、
前記第１の受信手段により受信された前記スキャンジョブの実行状況を前記情報処理装置に送信する第１の送信手段と、を有し、
前記第１の受信手段は更に、前記読取手段により原稿を読み取ることにより生成された画像データの要求を前記情報処理装置から受信し、
前記第１の送信手段は更に、前記第１の受信手段により受信される前記要求に従って、前記画像データを前記情報処理装置に送信し、
前記情報処理装置は、
前記読取手段による原稿の読み取りに用いられる前記設定情報を含む前記スキャンジョブを前記画像読取装置に送信する第２の送信手段と、
前記第１の送信手段により送信された前記スキャンジョブの実行状況を受信する第２の受信手段と、を有し、
前記第２の送信手段は更に、前記第２の受信手段により受信された前記スキャンジョブの実行状況に従って、前記画像読取装置に前記画像データの送信要求を送信し、
前記第２の受信手段は更に、前記第１の送信手段から送信された画像データを受信することを特徴とする。
【手続補正６】
【補正対象書類名】明細書
【補正対象項目名】０００８
【補正方法】変更
【補正の内容】
【０００８】
本発明によれば、ユーザが原稿の場所から離れることなく、画像読取装置で原稿を読み取って情報処理装置で取り込むことができるという効果がある。